(57)【要約】【課題】いわゆる地獄配管となっていても容易に接続作業を行うことのできる間接排水用継手を提供する。【解決手段】間接排水用継手１は、入れ子状に組み付けられた外側継手部１０と内側継手部３０とを具備し、内側継手部３０の上流側の端部には、上流側排水管端部７１ａが接続される流入側接続部３１が形成されており、外側継手部１０の下流側の端部には、下流側排水管端部７３ａが接続される流出側接続部１１が形成されており、外側継手部１０及び内側継手部３０が互いに上下方向に摺動自在となっている。【選択図】図２
2019019602.tif 000002
【特許請求の範囲】
【請求項１】
先行配管された上流側排水管の下流端に形成され、上流から流れてくる排水が流出する上流側排水管端部と、
先行配管された下流側排水管の上流端に形成され、上流から流れてくる排水が流入する下流側排水管端部と、を含み、
前記上流側排水管端部と前記下流側排水管端部とが上下方向で対向している排水経路部上において、前記上流側排水管端部と前記下流側排水管端部とを連結する間接排水用継手であって、
入れ子状に組み付けられた外側継手部と内側継手部とを具備し、
前記外側継手部及び前記内側継手部のうち一方の継手部の上流側の端部には、前記上流側排水管端部が接続される流入側接続部が形成されており、
前記外側継手部及び前記内側継手部のうち他方の継手部の下流側の端部には、前記下流側排水管端部が接続される流出側接続部が形成されており、
前記外側継手部及び前記内側継手部が互いに上下方向に摺動自在である
ことを特徴とする間接排水用継手。
【請求項２】
前記内側継手部の外周面と前記外側継手部の内周面との間に配されており、前記内側継手部と前記外側継手部とを互いに係合させて相対移動不能とする係合手段を備えており、
前記流入側接続部と前記流出側接続部との離間距離が最小となる状態で、前記係合手段によって前記内側継手部と前記外側継手部とが係合した状態となる
請求項１に記載の間接排水用継手。
【請求項３】
前記外側継手部及び前記内側継手部のうち他方の継手部の側周部に、当該継手部の内部空間と当該継手部の外部とを連通させる通水部が設けられている
請求項１又は請求項２に記載の間接排水用継手。
【請求項４】
前記外側継手部及び前記内側継手部のうち他方の継手部内に、下流方向へ排水を流すことを許容し、かつ上流方向へ進入物が進入することを阻止するトラップ手段が取り付けられている
請求項１乃至請求項３のいずれか１項に記載の間接排水用継手。
【請求項５】
前記外側継手部及び前記内側継手部のうち他方の継手部が、当該継手部の内部空間と当該継手部の外部とを連通させる通水部が設けられている通水部材と、前記流出側接続部が配されている接続部材と、を互いに別部材として具備し、
前記通水部材の下端に前記トラップ手段が脱着可能に取り付けられている
請求項４に記載の間接排水用継手。
【請求項６】
前記トラップ手段が、
下流方向へ排水を流すことを許容し、かつ進入物としての排水が上流方向へ逆流することを阻止する逆止弁である
請求項４又は請求項５に記載の間接排水用継手。
【請求項７】
前記通水部材と前記接続部材とがバヨネット機構によって互いに接続されている
請求項６に記載の間接排水用継手。
【請求項８】
前記内側継手部の上流側の端部に、前記流入側接続部が形成されており、前記流入側接続部と前記上流側排水管端部とが螺着される構成にあって、
前記内側継手部の外周面に、前記流入側接続部を前記上流側排水管端部に螺着する際に使用する工具が係合する被係合部が形成されている
請求項１乃至請求項７のいずれか１項に記載の間接排水用継手。
【請求項９】
請求項１乃至請求項８のいずれか１項に記載の間接排水用継手を用いた配管接続方法であって、
前記流入側接続部と前記上流側排水管端部とを接続し、そして前記外側継手部と前記内側継手部とのうちいずれかを上下方向に摺動させて前記流入側接続部と前記流出側接続部との間の離間距離を大きくすることで、前記流出側接続部と前記下流側排水管端部とを接続する、
又は、
前記流出側接続部と前記下流側排水管端部とを接続し、そして前記外側継手部と前記内側継手部とのうちいずれかを上下方向に摺動させて前記流入側接続部と前記流出側接続部との間の離間距離を大きくすることで、前記流入側接続部と前記上流側排水管端部とを接続する
ことを特徴とする配管接続方法。
【請求項１０】
請求項１乃至請求項８のいずれか１項に記載の間接排水用継手を用いた配管接続構造であって、
前記上流側排水管端部が前記流入側接続部内に挿入されて当該上流側排水管端部と当該流入側接続部とが接続されている、又は、前記流入側接続部に外嵌された中継管部材内に前記上流側排水管端部が挿入されて当該上流側排水管端部と当該流入側接続部とが接続されている
ことを特徴とする配管接続構造。
【請求項１１】
請求項１乃至請求項８のいずれか１項に記載の間接排水用継手を用いた配管接続構造であって、
前記下流側排水管端部が前記流出側接続部内に挿入されて当該下流側排水管端部と当該流出側接続部とが接続されている、又は、前記流出側接続部に外嵌された中継管部材内に前記下流側排水管端部が挿入されて当該下流側排水管端部と当該流出側接続部とが接続されている
ことを特徴とする配管接続構造。
【発明の詳細な説明】
【技術分野】
【０００１】
本発明は、いわゆる地獄配管となっている配管同士を連結する間接排水用継手に関する。
【背景技術】
【０００２】
従来、例えば給湯器等の機器のドレン排水を排出する排水経路に採用されるものであって、下流側の排水管から排水が逆流して機器に故障等の悪影響を与えてしまうことを防止する間接排水構造は既によく知られている（例えば特許文献１参照）。
【先行技術文献】
【特許文献】
【０００３】
【特許文献１】特開２０１６−２１１１６６号公報
【発明の概要】
【発明が解決しようとする課題】
【０００４】
しかしながら、上記したような排水経路を構築する際に、いわゆる地獄配管となる場合があった。具体的には、下流側の排水管が先行して配設されていると共に、給湯器等の機器が設置された後に、機器のドレン排水を排出するドレン排水管が配設されている場合に、地獄配管となる。この場合、ドレン排水管と下流側の排水管との位置が先に決まってしまうため、間接排水用継手を介在させて接続するときには、接続作業が困難となる問題があった。
【０００５】
そこで本発明は、上述のような地獄配管となっていても容易に接続作業を行うことのできる間接排水用継手を提供することを目的とする。
【０００６】
また本発明は、地獄配管となっていても容易に接続作業を行うことのできる配管接続方法を提供することを目的とする。
【課題を解決するための手段】
【０００７】
本発明は、先行配管された上流側排水管の下流端に形成され、上流から流れてくる排水が流出する上流側排水管端部と、先行配管された下流側排水管の上流端に形成され、上流から流れてくる排水が流入する下流側排水管端部と、を含み、前記上流側排水管端部と前記下流側排水管端部とが上下方向で対向している排水経路部上において、前記上流側排水管端部と前記下流側排水管端部とを連結する間接排水用継手であって、入れ子状に組み付けられた外側継手部と内側継手部とを具備し、前記外側継手部及び前記内側継手部のうち一方の継手部の上流側の端部には、前記上流側排水管端部が接続される流入側接続部が形成されており、前記外側継手部及び前記内側継手部のうち他方の継手部の下流側の端部には、前記下流側排水管端部が接続される流出側接続部が形成されており、前記外側継手部及び前記内側継手部が互いに上下方向に摺動自在であることを特徴とする間接排水用継手である。
【０００８】
かかる構成にあっては、前記外側継手部と前記内側継手部とを上下方向に摺動させることによって前記流入側接続部と前記流出側接続部との間の離間距離を変動させて当該離間距離を調整することができる。このため、例えば地獄配管における所要位置に当該間接排水用継手を縮めた状態で介在させた後に当該間接排水用継手を伸長させて前記上流側排水管と前記下流側排水管とを容易に連結することができる。
【０００９】
なお、排水としては、上流側に配された機器から排出されるドレン排水や、上流側に配された雨樋から排出される雨水等が含まれる。
【００１０】
また、前記内側継手部の外周面と前記外側継手部の内周面との間に配されており、前記内側継手部と前記外側継手部とを互いに係合させて相対移動不能とする係合手段を備えており、前記流入側接続部と前記流出側接続部との離間距離が最小となる状態で、前記係合手段によって前記内側継手部と前記外側継手部とが係合した状態となる構成が提案される。
【００１１】
かかる構成とすることにより、製品としての前記間接排水用継手を梱包した状態で移送するときに、コンパクトな状態で前記内側継手部と前記外側継手部とを固定しておくことが可能となると共に、がたつきが抑制されて移送時の破損も防止できる。加えて、施工時にも、内側継手部と外側継手部とが意図せず離脱することがないため、作業性が向上する。
【００１２】
さらに、前記外側継手部及び前記内側継手部のうち他方の継手部の側周部に、当該継手部の内部空間と当該継手部の外部とを連通させる通水部が設けられている構成が提案される。
【００１３】
かかる構成とすることにより、仮に前記下流側排水管端部から上流に向かって排水が逆流したときに、前記他方の継手部の内周面を伝って逆流する排水を外部へ直接排出することができる。
【００１４】
また、前記外側継手部及び前記内側継手部のうち他方の継手部内に、下流方向へ排水を流すことを許容し、かつ上流方向へ進入物が進入することを阻止するトラップ手段が取り付けられている構成が提案される。
【００１５】
かかる構成とすることにより、仮に進入物としての虫や臭気が上流へ向かって進入しようとしたときに、前記トラップ手段が当該進入物の進入を阻止するため、前記上流側排水管へ進入物が到達してしまうことを防止することができる。
【００１６】
ここで、前記外側継手部及び前記内側継手部のうち他方の継手部が、当該継手部の内部空間と当該継手部の外部とを連通させる通水部が設けられている通水部材と、前記流出側接続部が配されている接続部材と、を互いに別部材として具備し、前記通水部材の下端に前記トラップ手段が脱着可能に取り付けられていることが望ましい。
【００１７】
かかる構成とすることにより、前記通水部材と前記接続部材とを離脱させることで、当該通水部の下端に取り付けられているトラップ手段を容易に取り出して交換等のメンテナンス作業を行うことができる。
【００１８】
なお、前記トラップ手段が、下流方向へ排水を流すことを許容し、かつ進入物としての排水が上流方向へ逆流することを阻止する逆止弁であってもよい。
【００１９】
かかる構成とすることにより、仮に排水が上流へ逆流したときに、前記逆止弁が当該排水の逆流を阻止するため、前記上流側排水管へ排水が到達してしまうことを防止することができる。
【００２０】
さらに、前記通水部材と前記接続部材とがバヨネット機構によって互いに接続されていることが望ましい。
【００２１】
かかる構成にあっては、前記他方の継手部は前記一方の継手部に対して上下方向に摺動自在であるから、バヨネット機構を採用すると通常時には前記通水部材と前記接続部材とを強固に接続しておき、メンテナンス時には前記通水部材と前記接続部材とを容易に上下方向に離脱させることができる。このため、作業性が格段に向上する。
【００２２】
また、前記内側継手部の上流側の端部に、前記流入側接続部が形成されており、前記流入側接続部と前記上流側排水管端部とが螺着される構成にあって、前記内側継手部の外周面に、前記流入側接続部を前記上流側排水管端部に螺着する際に使用する工具が係合する被係合部が形成されている構成が提案される。
【００２３】
かかる構成とすることにより、工具を使って前記内側継手部を前記上流側排水管端部に容易かつ確実に螺着させることができる。
【００２４】
また本発明は、前記間接排水用継手を用いた配管接続方法であって、前記流入側接続部と前記上流側排水管端部とを接続し、そして前記外側継手部と前記内側継手部とのうちいずれかを上下方向に摺動させて前記流入側接続部と前記流出側接続部との間の離間距離を大きくすることで、前記流出側接続部と前記下流側排水管端部とを接続する、又は、前記流出側接続部と前記下流側排水管端部とを接続し、そして前記外側継手部と前記内側継手部とのうちいずれかを上下方向に摺動させて前記流入側接続部と前記流出側接続部との間の離間距離を大きくすることで、前記流入側接続部と前記上流側排水管端部とを接続することを特徴とする配管接続方法である。
【００２５】
かかる構成にあっては、前記上流側排水管と前記下流側排水管とがいわゆる地獄配管となった状況でも、前記間接排水用継手の配管作業を容易かつ迅速に行うことができる。
【００２６】
また、本発明は、上述の間接排水用継手を用いた配管接続構造であって、前記上流側排水管端部が前記流入側接続部内に挿入されて当該上流側排水管端部と当該流入側接続部とが接続されている、又は、前記流入側接続部に外嵌された中継管部材内に前記上流側排水管端部が挿入されて当該上流側排水管端部と当該流入側接続部とが接続されていることを特徴とする配管接続構造である。
【００２７】
また、本発明は、上述の間接排水用継手を用いた配管接続構造であって、前記下流側排水管端部が前記流出側接続部内に挿入されて当該下流側排水管端部と当該流出側接続部とが接続されている、又は、前記流出側接続部に外嵌された中継管部材内に前記下流側排水管端部が挿入されて当該下流側排水管端部と当該流出側接続部とが接続されていることを特徴とする配管接続構造である。
【００２８】
かかる配管接続構造にあっては、流入側接続部又は流出側接続部が、２種の配管接続態様で接続可能であるため、上流側排水管端部又は下流側排水管端部の形状や寸法に合わせて容易かつ迅速に配管作業を行うことができる。
【発明の効果】
【００２９】
本発明の間接排水用継手は、いわゆる地獄配管となっている状況であっても、前記上流側排水管と前記下流側排水管とを容易かつ迅速に接続することができる効果がある。
【００３０】
また本発明の配管接続方法は、いわゆる地獄配管となった状況でも、前記間接排水用継手の配管作業を容易かつ迅速に行うことができる効果がある。
【００３１】
また、本発明の配管接続構造は、前記間接排水用継手の配管作業を現場の状況に合わせて容易かつ迅速に行うことができる効果がある。
【図面の簡単な説明】
【００３２】
【図１】間接排水用継手の使用状態を示す説明図である。
【図２】間接排水用継手の外観斜視図である。
【図３】間接排水用継手を示し、（ａ）は正面図であり、（ｂ）は縦断面図である。
【図４】間接排水用継手を示し、（ａ）は側面図であり、（ｂ）は縦断面図である。
【図５】弁体の動作概要を示す説明図であり、（ａ）は流体逆流阻止状態を示し、（ｂ）は通過状態を示す。
【図６】内径縮径部と突条部とが係合した状態の間接排水用継手を示し、（ａ）は側面図であり、（ｂ）は縦断面図である。
【図７】間接排水用継手を接続する工程を示す説明図である。
【図８】間接排水用継手を接続する工程を示す説明図である。
【図９】通水部材と接続部材とを離脱させた状態を示す縦断面図である。
【図１０】他の実施例にかかる配管接続構造を示した説明図であり、（ａ）は上流側排水管端部とドレン管部とを中継管部材を介して接続した状態を示し、（ｂ）は上流側排水管端部とドレン管部とを直接接続した状態を示している。
【図１１】他の実施例にかかる配管接続構造を示した説明図であり、（ａ）は下流側排水管端部と排水管部とを中継管部材を介して接続した状態を示し、（ｂ）は下流側排水管端部と排水管部とを直接接続した状態を示している。
【発明を実施するための形態】
【００３３】
本発明の間接排水用継手が、給湯器のドレン排水を排出する排水経路部上に使用された実施例を詳細に説明する。なお、本発明は、下記に示す実施例に限定されることはなく、適宜設計変更が可能である。
【００３４】
図１に示すように、間接排水用継手１は、上流側に配された給湯器７０と、下流側に配された排水本管７５との間に配置されて使用される。具体的に間接排水用継手１には、給湯器７０のドレン排水を排出する上流側排水管であるドレン管部７１が接続されていると共に、排水本管７５に接続されたます７４に連通する下流側排水管である排水管部７３が接続されている。そして、間接排水用継手１は、上流から流れてくるドレン排水を、排水本管７５に向けて間接排水する機能を有する。
【００３５】
以下、間接排水用継手１の構成について説明する。
図２〜図４等に示すように、間接排水用継手１は、軸線方向を上下方向とした筒状の外側継手部１０と、外側継手部１０の内側に挿入されて入れ子状に組み付けられた筒状の内側継手部３０と、を備えている。
【００３６】
まず、外側継手部１０について説明する。
図２〜図４に示すように、外側継手部１０における下流側の端部（下端部）には、排水管部７３の上流端に形成された下流側排水管端部７３ａが接続される流出側接続部１１が形成されている。
【００３７】
また、外側継手部１０は、上側に配された円筒形状の通水部材１５と、下側に配されて流出側接続部１１を含む筒形状の接続部材１６とを具備している。ここで、通水部材１５と接続部材１６は、互いに別部材であり、公知のバヨネット機構１７によって軸方向（上下方向）に着脱自在となるように接続されている。
【００３８】
また、通水部材１５の側周部には、当該外側継手部１０の内部空間１２と当該外側継手部１０の外部とを連通させる複数の貫通孔からなる通水部１３が設けられている。
【００３９】
また、図３ｂ，図４ｂに示すように、通水部材１５における上端開口部には、内径が縮径した内径縮径部１８が形成されている。なお、内径縮径部１８が有するストッパー機能については後述する。
【００４０】
一方、図３ｂ，図４ｂに示すように、通水部材１５の下端には、トラップ手段としての逆止弁２０が脱着可能に取り付けられている。逆止弁２０は、間接排水用継手１内において、下流方向へドレン排水を流すことを許容し、かつ排水が上流方向へ逆流することを防止する機能を有している。
【００４１】
詳述すると、逆止弁２０は、ドレン排水が内部を流通可能であって、下側に向かう程縮径した弾性変形可能な弁構造を有している。そして、下端部に形成された排出口２２（図５参照）は、通常時において対向する一対の平板状の口縁部２３，２３が互いに密着することで閉鎖された状態となっている。
【００４２】
次に、内側継手部３０について説明する。
図２，図３ａ，図４ａに示すように、内側継手部３０における上流側の端部（上端部）には、ドレン管部７１の下流端に形成された上流側排水管端部７１ａが接続される流入側接続部３１が雌ネジ状に形成されている。なお、図７ａに示すように、ドレン管部７１の上流側排水管端部７１ａは、内側継手部３０の流入側接続部３１に螺着可能な雄ネジ形状を有しており、上流側排水管端部７１ａと流入側接続部３１とが螺着することによって相互が固定される。
【００４３】
また、図２等に示すように、内側継手部３０の外周面には、外形が六角柱形状を有する被係合部３２が形成されている。これにより、上流側排水用管端部７１ａに流入側接続部３１を螺着する作業を六角レンチ等の一般的な工具を被係合部３２に係合させて容易かつ迅速に行うことができる。
【００４４】
また、内側継手部３０において被係合部３２よりも下側の部位には、外側継手部１０の内径縮径部１８内に挿通された円筒形状の摺動筒部３５が形成されている。さらに、摺動筒部３５の下端には、外側継手部１０の内径縮径部１８内を通過不能な外径を有する径大部３６が形成されている。
【００４５】
加えて、摺動筒部３５の上端部における外周面には、突条部３７が周状に形成されている。具体的に突条部３７は、外側継手部１０の内径縮径部１８に係合可能となるように内径縮径部１８の内径よりもわずかに大きな外径を有している。
【００４６】
次に、内側継手部３０に対する外側継手部１０の動作態様について説明する。
外側継手部１０と内側継手部３０は、上述のように入れ子状に組み付けられてなるため、外側継手部１０と内側継手部３０とは互いに上下方向に摺動自在となっている。ここで、内側継手部３０を基準とした場合の外側継手部１０の摺動範囲は以下の通りとなる。
【００４７】
すなわち、図６ａ，図６ｂに示すように外側継手部１０が上限に位置した際には、外側継手部１０の内径縮径部１８と内側継手部３０の突条部３７とが係合して互いに移動不能な状態となる。このように、内径縮径部１８がストッパーとして機能しているとき、間接排水用継手１において流出側接続部１１と流入側接続部３１との離間距離が最小となる。なお、外側継手部１０の内径縮径部１８と、内側継手部３０の突条部３７とによって、本発明にかかる係合手段が構成されている。
【００４８】
一方、図３に示すように、外側継手部１０が下限に位置した際には、外側継手部１０の内径縮径部１８と内側継手部３０の径大部３６とが係合した状態となる。このとき、間接排水用継手１において流出側接続部１１と流入側接続部３１との離間距離が最大となる。
【００４９】
次に、間接排水用継手１を排水経路部Ｘ上に接続する接続方法の工程を図７，図８に従って説明する。
【００５０】
図７（ａ）に示すように、共に先行配管されて互いに上下方向で対向しているドレン管部７１と排水管部７３との間の排水経路部Ｘ上において、まず排水管部７３の芯をずらして、ドレン管部７１の下方に間接排水用継手１が介在しうるだけの空間を確保する。この場合、ドレン管部７１側を撓ませて間接排水用継手１を接続できるだけの空間を確保しても構わない。
【００５１】
次いで、図７（ｂ）に示すように、ドレン管部７１の上流側排水管端部７１ａに間接排水用継手１の流入側接続部３１を螺着する。このとき、間接排水用継手１の内側継手部３０には被係合部３２が形成されているため、六角レンチ等の一般的な工具を用いて容易かつ迅速に作業を行うことができる。なお、このとき間接排水用継手１は、外側継手部１０の内径縮径部１８と内側継手部３０の突条部３７とが係合した状態とされている。すなわち、流出側接続部１１と流入側接続部３１との離間距離が最小となっている。
【００５２】
その後、図８（ａ）に示すように、排水管部７３の芯を元の位置に戻す。この状態で排水管部７３の下流側排水管端部７３ａは、間接排水用継手１の流出側接続部１１の直下に位置している。
【００５３】
そして図８（ｂ）に示すように、外側継手部１０の内径縮径部１８と内側継手部３０の突条部３７との係合を解除するように外側継手部１０を下方向に引っ張ることで、流出側接続部１１と排水管部７３の下流側排水管端部７３ａとが接続され、配管を接続する作業が完了する。これにより、本発明にかかる配管接続構造が構築される。
【００５４】
このように、間接排水用継手１は、地獄配管となったドレン管部７１と排水管部７３との間に無理やり嵌め込むのではなく、外側継手部１０と内側継手部３０とを上下に摺動することによってドレン管部７１と排水管部７３とに順序良く接続することができる。
【００５５】
なお、図１に示すような施工が完了した状態において、ドレン排水が流れない通常時は、図５（ａ）に示すように、逆止弁２０の口縁部２３，２３が互いに密着して排出口２２が閉鎖された流体逆流阻止状態αとなる。かかる状態では、排水本管７５内の流体（排水やガス）は、逆止弁２０よりも上流側へ流出することが阻止されている。したがって、当該流体が給湯器７０内に漏出してしまって機器が損傷する、といったことがない。
【００５６】
一方、給湯器７０からドレン排水が流出し、逆止弁２０内に所定量のドレン排水が蓄積されると、当該ドレン排水の重量によって逆止弁２０が弾性変形して図５（ｂ）に示すような口縁部２３，２３が互いに離開した形状となり、排出口２２が開口した通過状態βとなる。かかる状態では、逆止弁２０内のドレン排水が適切に下流側へ排出される。また、間接排水用継手１は、内側継手部３０が上側に配置され、かつ外側継手部１０が下側に配置されている構成であって、ドレン排水が内径の小さい内側継手部３０から内径の大きい外側継手部１０へ向かって流動する構成であるため、ドレン排水が間接排水用継手１内で滞留してしまうことなく円滑に排水される。なお、逆止弁２０内に蓄積したドレン排水が適切に排出されると、当該逆止弁２０は元の形状に復帰して再び流体逆流阻止状態αとなる。
【００５７】
なお、仮に排水管部７３から排水が間接排水用継手１へ逆流したとしても、かかる逆流水は、内部空間１２から通水部１３を経て外部へ流出可能であるため、間接排水構造が適切に構築されている。
【００５８】
ところで、上述の配管接続方法において、上流側排水管端部７１ａや下流側排水管端部７３ａに予め接着剤等を塗布しておいてもよい。特に上流側排水管端部７１ａと流入側接続部３１とは螺着することによって相互を固定しているため、シールテープを用いて螺着部分からの漏水を防止してもよい。
【００５９】
また、間接排水用継手１の接続方法は上記のものに限定されず、例えば先に下流側排水管端部７３ａと流出側接続部１１とを接続した後、上流側排水管端部７１ａと流入側接続部３１とを接続するようにしても構わない。
【００６０】
また、図９に示すように、間接排水用継手１が配管接続された状態のままで、バヨネット機構１７を解除して通水部材１５と接続部材１６とを上下に分割し、その隙間から逆止弁２０を交換することも可能である。かかる構成とすることにより、逆止弁２０のメンテナンス作業が容易となる。
【００６１】
上記実施例において、各部の寸法形状は適宜自由に選択可能である。
【００６２】
また、外側継手部１０や内側継手部３０は成形の容易さから合成樹脂製であることが望ましいがこれに限定されない。
【００６３】
また、通水部材１５と接続部材１６とを接続する構成は、バヨネット機構に代えて、他の構成が採用されても勿論よい。
【００６４】
また、逆止弁２０は、上記した構成に限定されることはなく、例えばフロート（浮き部材）を用いた構成でもよい。また、逆止弁２０は、必須のものではない。
【００６５】
また、通水部１３の形状は、上記した形状以外の構成であってもよい。ただし、過剰に大きな貫通孔で構成すると、外部から虫等が進入して間接排水用継手１の機能を阻害する可能性があるため、適正な寸法の貫通孔であることが望ましい。
【００６６】
また、被係合部３２は六角柱形状である必要はなく、他の形状であってもよい。また、例えばスクリュードライバー等を差し込むことのできる孔を設け、当該孔にスクリュードライバー等を差し込んで内側継手部３０を軸周りに回動させる構成であってもよい。なお、上流側排水管端部７１ａが雄ネジ形状ではなく直管形状である場合には、流入側接続部３１の形状をこれに対応させた形状とすればよい。
【００６７】
また、上流側排水管端部７１ａと流入側接続部３１との接続構造は、上述した構造に代えて、以下に示す構造としてもよい。すなわち、図１０ａに示すように、流入側接続部３１に中継管部材８０が外嵌され、さらに中継管部材８０内にブッシング８１が介在した状態で、当該中継管部材８０に直管形状の上流側排水管端部７１０ａが挿入されてもよい。加えて、流入側接続部３１の外形は、図１０ａに示すような中継管部材８０を用いた間接的な接続態様を可能とすると共に、図１０ｂに示すような螺着によって直接接続する態様も可能とする２種の接続態様を兼用した構造となっていることが好ましい。
【００６８】
また、下流側排水管端部７３ａと流出側接続部１１との接続構造は、上述した構造に代えて、以下に示す構造としてもよい。すなわち、図１１ａに示すように、流出側接続部１１に中継管部材８５が外嵌され、さらに中継管部材８５内に下流側排水管端部７３０ａが挿入されてもよい。また、流出側接続部１１の外形は、図１１ａに示すように径大な管径の下流側排水管端部７３ａが接続可能であると共に、図１１ｂに示すように径小な管径の下流側排水管端部７３ａが接続可能である構造となっていることが好ましい。
【００６９】
また、外側継手部１０を上流側に配置し、内側継手部３０を下流側に配置した構成であってもよい。
【００７０】
また、トラップ手段としての逆止弁２０が取り付けられた構成に代えて、進入物としての虫や臭気が上流に向かって進入することを阻止する器具（トラップ手段）が使用された構成であってもよい。
【００７１】
また、間接排水用継手１は、上述した使用形態に代えて、雨樋を流れる雨水を排出する経路に使用されてもよい。例えば、間接排水用継手１の流入側接続部３１に、上流側に配された雨樋の下端部が接続され、流出側接続部１１に、下流側に配された雨水本管に連通した排水管部が接続される構成が提案される。かかる構成の間接排水用継手１は、上流から流れてくる雨水を、雨水本管に向けて間接排水する機能を有する。
【符号の説明】
【００７２】
１                間接排水用継手
１０              外側継手部
１１              流出側接続部
１２              内部空間
１３              通水部
１５              通水部材
１６              接続部材
１７              バヨネット機構
２０              逆止弁（トラップ手段）
３０              内側継手部
３１              流入側接続部
３２              被係合部
３７              突条部
７１              ドレン管部（上流側排水管）
７１ａ，７１０ａ  上流側排水管端部
７３              排水管部（下流側排水管）
７３ａ，７３０ａ  下流側排水管端部
８０，８５        中継管部材
【図１】
2019019602.tif 000003
【図２】
2019019602.tif 000004
【図３】
2019019602.tif 000005
【図４】
2019019602.tif 000006
【図５】
2019019602.tif 000007
【図６】
2019019602.tif 000008
【図７】
2019019602.tif 000009
【図８】
2019019602.tif 000010
【図９】
2019019602.tif 000011
【図１０】
2019019602.tif 000012
【図１１】
2019019602.tif 000013